(57)【特許請求の範囲】
【請求項１】
放送用の送信信号を所定の周波数からより高い放送信号周波数に周波数変換するアップコンバート回路と、前記送信信号を電力増幅するための電力増幅器と表示装置とを有する送信機において、
前記電力増幅器の出力電力および前記電力増幅器の反射波電力および前記電力増幅器から出力される混変調歪雑音（非線形歪雑音）レベルおよび前記アップコンバート回路の出力電力のうち少なくともいずれか一つを前記表示装置に表示するものであり、
さらに、前記電力増幅器は複数の電力増幅ユニットを並列接続したものからなり、前記電力増幅ユニットごとの出力異常の有無および前記電力増幅ユニットごとの反射波異常の有無および前記電力増幅ユニットごとの温度異常の有無および前記電力増幅ユニットごとの電源異常の有無のうち少なくともいずれか一つを前記表示装置にマトリクス表示することを特徴とする送信機。
【請求項２】
請求項１に記載の送信機において、さらに、該送信機は、前記電力増幅器を冷却するための冷却装置を有し、前記冷却装置の結露発生警報および前記冷却装置の凍結発生警報および前記冷却装置の冷媒温度異常の有無および前記冷却装置の冷媒流量（流速）異常の有無および前記冷却装置の電源操作スイッチの操作状態のうち少なくともいずれか一つを前記表示装置に表示することを特徴とする送信機。
【請求項３】
請求項１乃至２に記載の送信機において、さらに、前記冷却装置は、前記電力増幅器の熱を吸熱した液体冷媒を送り出すポンプと、前記吸熱した液体冷媒を入力するタンクと、前記タンクから出力された液体冷媒の熱を大気中に放熱するためのラジエタと、前記ラジエタに大気を通風するファンと、前記液体冷媒を循環させるための配管とを有し、前記ポンプの異常の有無および前記ファンの異常の有無および前記タンク内の液面位置（水位）変動発生注意および該液面位置異常の有無および該液面位置下降警報のうち少なくともいずれか一つを前記表示装置に表示することを特徴とする送信機。
【請求項４】
請求項３に記載の送信機において、前記冷却装置の構成を示す構成図を前記表示装置に表示すると共に、前記構成図上の前記表示の内容と関連する位置に前記内容を前記表示装置に表示することを特徴とする送信機。
【発明の詳細な説明】
【０００１】
【発明の属する技術分野】
本発明は、放送用の送信信号を入力し、その送信信号を放送信号周波数にアップコンバートすると共に、放送送信電力値でもって送信するために、送信信号を電力増幅するための送信機に関し、特に、地上波デジタル放送に適した送信機に係わる。
【０００２】
【従来の技術】
従来の送信機、特に、テレビジョン信号放送用の送信機では、その送信機の各部の状態監視表示を行うために、メーター、ランプ等の指示装置または表示装置を各監視項目毎に備えている。そうすることで、所定の装置が表示や指示を行うことで、その装置に対応する監視項目の指示内容や表示内容が確認できるようになっている。
【０００３】
例えば、放送用の送信信号を電力増幅するための電力増幅器が複数の電力増幅ユニットを並列接続したものからなる場合、電力増幅ユニットの出力電力を測定表示するための電力計を、その電力増幅ユニットごとに備えるようにしている。さらに、電力増幅器が複数の電力増幅用回路、例えば、電力増幅半導体素子を並列接続したものからなる場合、その半導体素子毎の出力電力を測定する場合には、さらに沢山の電力計をその半導体素子毎に備える必要があるが、その全部を搭載できない場合にはその内一部の半導体素子を選び、その選んだものだけ出力電力を測定できるように電力計を備えることとなる。そのため、状態監視項目の全てを表示できない場合があった。
【０００４】
【発明が解決しようとする課題】
前述の従来の技術では、状態監視表示を監視項目毎に備えた指示装置や表示装置でもって指示または表示しているために、状態監視表示項目が多い場合には、その項目をグループ分けしてそのグループ毎に表示するか、または、状態監視表示項目を抜粋して、その抜粋された項目のみを表示する必要があった。
【０００５】
本発明は、上述のような欠点を解決するために為されたもので、本発明の第１の目的は、状態監視表示項目が多い場合にも、すべての項目について状態表示することが可能で、それにより送信機の状態を一元管理できるようにすることである。さらに、本発明の第２の目的は、階層化された構成を有する電力増幅器の、各階層毎に状態監視表示ができるようにすることである。
【０００６】
【課題を解決するための手段】
本発明は上述の課題を解決するために、放送用の送信信号を所定の周波数からより高い放送信号周波数に周波数変換するアップコンバート回路と、前記送信信号を電力増幅するための電力増幅器と表示装置とを有する送信機において、前記電力増幅器の出力電力および前記電力増幅器の反射波電力および前記電力増幅器から出力される混変調歪雑音（非線形歪雑音）レベルおよび前記アップコンバート回路の出力電力のうち少なくともいずれか一つを前記表示装置に表示するものである。
【０００７】
ここで、前記電力増幅器は複数の電力増幅ユニットを並列接続したものからなり、前記電力増幅ユニットごとの出力異常の有無を前記表示装置にマトリクス表示するとしてもよい。
【０００８】
また、前記電力増幅ユニットごとの反射波異常の有無および前記電力増幅ユニットごとの温度異常の有無および前記電力増幅ユニットごとの電源異常の有無のうち少なくともいずれか一つを前記表示装置にマトリクス表示するとしてもよい。
【０００９】
本発明はさらに、前記アップコンバート回路の出力異常の有無および前記アップコンバート回路が有するＰＬＬ回路の動作異常の有無および前記アップコンバート回路の電源操作スイッチの操作状態のうち少なくともいずれか一つを前記表示装置に表示するものである。
【００１０】
ここで、前記電力増幅ユニットは複数の並列接続された電力増幅用回路を備えており、さらに、前記電力増幅用回路の出力電力を前記表示装置に表示するとしてもよい。
【００１１】
さらに、前記電力増幅ユニットの反射波電力および前記電力増幅ユニットの温度および前記電力増幅ユニットの出力電圧および前記電力増幅ユニットの自動利得制御電圧および前記電力増幅ユニットを構成する複数電力増幅用回路各々の出力電流のうち少なくともいずれか一つを前記表示装置に表示するとしてもよい。
【００１２】
さらに本発明の送信機は、前記電力増幅器で生成される混変調歪（非線形歪）を補償するため前記送信信号に前記混変調歪（非線形歪）をキャンセルする信号を重畳する適応型前置歪補償器を有し、前記電力増幅器の出力電力および前記電力増幅器の反射波電力および前記電力増幅器から出力される混変調歪雑音レベルおよび前記アップコンバート回路の出力電力のうち少なくともいずれか一つを前記表示装置に表示するとしてもよい。
【００１３】
さらに本発明の送信機は、前記電力増幅器を冷却するための冷却装置を有し、前記冷却装置の結露発生警報および前記冷却装置の凍結発生警報および前記冷却装置の冷媒温度異常の有無および前記冷却装置の冷媒流量（流速）異常の有無および前記冷却装置の電源操作スイッチの操作状態のうち少なくともいずれか一つを前記表示装置に表示することを特徴としてもよい。
【００１４】
さらに前記冷却装置は、前記電力増幅器の熱を吸熱した液体冷媒を送り出すポンプと、前記吸熱した液体冷媒を入力するタンクと、前記タンクから出力された液体冷媒の熱を大気中に放熱するためのラジエタと、前記ラジエタに大気を通風するファンと、前記液体冷媒を循環させるための配管とを有し、前記ポンプの異常の有無および前記ファンの異常の有無および前記タンク内の液面位置（水位）変動発生注意および該液面位置異常の有無および該液面位置下降警報うち少なくともいずれか一つを前記表示装置に表示するとしてもよい。
【００１５】
ここで、前記冷却装置の構成を示す構成図を前記表示装置に表示すると共に、前記構成図上の前記表示の内容と関連する位置に前記内容を前記表示装置に表示するとしてもよい。
【００１６】
さらに、本発明は、前記表示のためのデータ信号を外部に出力する。
【００１７】
【発明実施の形態】
以下、本発明の実施例について、図を用いて説明する。図１は、本発明の送信機の一実施例のブロック構成を示す図である。この図において、前段の送信信号処理装置（図示せず）から入力された送信信号、例えば、ＭＰＥＧエンコーダ等でエンコードされたＴＳ(Transport Stream)形式の信号で、放送局等で収録された映像内容を有する信号が、ＯＦＤＭ変調器１へ入力される。なお、この図に示した送信機では、出力切換盤４０と制御装置４１とを除いた部分が二重構成となっている場合を示している。そのため、上述の送信信号は、第１系統（以下、１系と称す）のＯＦＤＭ変調器１と、１系に対する第２系統（以下、２系と称す）のＯＦＤＭ変調器１とに並行して同じ送信信号が入力される。以下、一方の系統について説明する。なお、１系と２系とで、同じ構成のものには同じ符号を付してある。
【００１８】
図１のＯＦＤＭ変調器１では、入力された送信信号を直交周波数分割多重変調（Orthogonal Frequency Division Multiplexing）し、その変調された送信信号を出力する。その変調された送信信号は、分岐回路、例えば方向性結合器２で分岐され、その分岐された一方の送信信号は遅延回路（ＤＬＹ）３へ入力される。また、分岐された他方の送信信号は、検波器９へ入力される。検波器９では、送信信号の包絡線レベルを検出し、その検出されたレベル信号を制御信号生成部１０へ出力する。制御信号生成部１０は予め取得された電力増幅器の非線形歪みに応じた振幅／位相制御データ信号を保持している。この振幅／位相制御データ信号は検波器９で検出されたレベル信号に応じて制御信号生成部１０から適応的に出力される。この振幅／位相制御データ信号は前置歪補償器５へ入力される。
【００１９】
上述の遅延回路３で遅延された送信信号は、アップコンバート回路（ＵＰＣＯＮＶ）４へ入力され、より高い放送信号周波数に周波数変換される。なお、この周波数変換を行うために、ルビジウム発振器２１から基準発振信号がアップコンバート回路４へ入力され、アップコンバート回路４内のＰＬＬ回路が駆動される。アップコンバート回路４で周波数変換された送信信号は、前置歪補償器５へ入力される。なお、この送信信号と前述の振幅／位相制御データ信号とが、分岐時点のタイミングと同じになるように同期されて前置歪補償器５へ入力されるものである。そのように同期させるために、遅延回路３が所定の遅延量でもって送信信号を遅延させている。なお、遅延回路３で遅延させることなく、前置歪補償器５へ入力される信号が同期している場合には、遅延回路３は不要としてもよい。
【００２０】
ここで、前置歪補償器５は、送信信号に対して、振幅／位相制御データ信号を重畳することによって電力増幅器で生成される混変調歪（非線形歪）がその電力増幅器の電力増幅時にキャンセルするようにした送信信号を出力する。なお、前置歪補償器５は、適応型前置歪補償器とも呼ばれる。
【００２１】
前置歪補償器５から出力された送信信号は、分配器（１２ＤＩＶ）６へ入力され、１２本の送信信号線に分配される。各分配された送信信号は、電力増幅器を構成する電力増幅ユニットＰＡ１乃至電力増幅ユニットＰＡ１２へそれぞれ１信号ずつ入力される。そして、各電力増幅ユニットで増幅された送信信号は合成器（１２ＣＯＭＢ）７へ入力され、そこで１２本の信号が１本の送信信号に合成されて出力される。合成器７から出力された送信信号は、出力フィルタ（ＯＵＴＦＩＬ）８に入力されて必要周波数帯域の送信信号が出力され、そして、出力切換盤４０へ入力される。以上により、一方の系統の送信信号が出力切換盤４０へ入力され、同様に他系統の送信信号も出力切換盤４０へ入力される。
【００２２】
ここで、電力増幅器を構成する電力増幅ユニットＰＡ１乃至電力増幅ユニットＰＡ１２は、それぞれ複数の電力増幅用回路を有している。この電力増幅ユニットは、図示していないが、前段の回路と後段の回路とからなり、前段は１個の電力増幅用回路（ＤＰＡ）で構成され、後段は複数の並列接続された電力増幅用回路（ＦＰＡ１〜ＦＰＡ６）で構成されている。さらに、電力増幅ユニットＰＡ１乃至電力増幅ユニットＰＡ１２は、液体冷却装置を用いて動作時の発熱が奪われて冷却されるようになっている。この冷却装置としては、各電力増幅ユニット内に電力増幅用回路の熱を吸熱するための配管が配され、そこで電力増幅用回路の熱を吸熱した冷媒、例えば、液体冷媒がポンプ１３によって送出され、タンク１４の流入口からそのなかへ流入する。なお、液体冷媒としては水を用いてもよい。さらに、タンク１４の流出口から流出した水は、ラジエタ１５へ流入し、ここで水に蓄えられた熱が大気中へ放熱される。このとき、ファン１６がラジエタ１５へ大気を通風することで、その放熱効率がより向上する。放熱されて温度が低下した水は、ポンプ１３によって再び電力増幅ユニットへ送出される。なお、電力増幅ユニットＰＡ１〜ＰＡ１２、タンク１４、ラジエタ１５、ポンプ１３については、図１に示すように配管によって接続され、水が循環されるようになっている。
【００２３】
以上のように構成された送信機の動作状態を監視し、異常発生の恐れが有るか否かをリアルタイムに監視できるようにするために、さらに、制御装置１１と、制御装置１１および操作者間の入出力操作を実現するための表示装置１２とを備える。表示装置１２は制御装置１１と接続されている。
【００２４】
制御装置１１はさらに、電力増幅器の出力電力を検出するための信号を検出器３４から入力する。なお、検出器３４に限らず、検出器３５や検出器３６で検出するとしてもよい。
制御装置１１はさらに、電力増幅器の反射波電力を検出するための信号を検出器３４から入力する。なお、検出器３４に限らず、検出器３５や検出器３６で検出するとしてもよい。
制御装置１１はさらに、電力増幅器から出力される混変調歪雑音（非線形歪雑音）レベルを検出するための信号を検出器３４から入力する。なお、検出器３４に限らず、検出器３５や検出器３６で検出するとしてもよい。
制御装置１１はさらに、アップコンバート回路４の出力電力を検出するための信号を検出器３２から入力する。
【００２５】
制御装置１１はさらに、電力増幅ユニットＰＡ１〜ＰＡ１２の出力電力を検出するための信号および電力増幅ユニットＰＡ１〜ＰＡ１２の反射波電力を検出するための信号をそれぞれ各電力増幅ユニットＰＡ１〜ＰＡ１２から入力する。
制御装置１１はさらに、電力増幅ユニットＰＡ１〜ＰＡ１２の温度の異常の有無を検出するための信号および電力増幅ユニットＰＡ１〜ＰＡ１２の電源の異常の有無を検出するための信号をそれぞれ各電力増幅ユニットＰＡ１〜ＰＡ１２から入力する。この温度異常有無を検出するための信号は電力増幅ユニットの温度が所定の温度以上上昇したことを示す信号でもよい。また、電源異常有無を検出するための信号は電力増幅ユニットの電源電圧が所定の電圧以下に下降したことを示す信号でもよい。
【００２６】
制御装置１１はさらに、アップコンバート回路４の出力異常の有無を検出するための信号を検出器３２から入力する。この信号は、例えば、アップコンバート回路４の出力レベルが所定のレベル以下となったことを示す信号でもよい。
制御装置１１はさらに、アップコンバート回路４のＰＬＬ回路の動作異常の有無を検出するための信号をアップコンバート回路４から入力する。この信号は、例えば、アップコンバート回路４のＰＬＬ回路の出力レベルが所定のレベル以下となったことを示す信号でもよい。
制御装置１１はさらに、アップコンバート回路４の電源を通電または遮断させるための図示していない操作スイッチの動作状態、すなわち、オン状態およびオフ状態のいずれであるかを検出する。
【００２７】
制御装置１１はさらに、電力増幅ユニットの有する電力増幅用回路の出力電力をそれぞれ検出するための信号および電力増幅ユニットの反射波電力をそれぞれ検出するための信号および電力増幅ユニットの温度をそれぞれ検出するための信号および電力増幅用回路の出力電圧をそれぞれ検出するための信号および電力増幅ユニットの自動利得制御電圧をそれぞれ検出するための信号および電力増幅ユニットを構成する複数電力増幅用回路の個々の出力電流をそれぞれ検出するための信号を各電力増幅ユニットＰＡ１〜ＰＡ１２から入力する。
【００２８】
制御装置１１はさらに、図示していない外気温測定用の温度計による送信機設置所の外の外気温度と、温度計１９が測定する送信機設置所の室内温度と、温度計１８が測定するラジエタ１５から出力する水の温度である出水温度と、温度計１７が測定するラジエタ１５へ入力する水の温度である入水温度とを入力する。そして、制御装置１１は冷却装置の結露の発生の可能性を確認するために、入力した室内温度と取水温度とが、「室内温度＞取水温度」となった場合に、冷却装置で結露の発生の恐れがあると検出する。
また、制御装置１１は冷却装置の結露の発生の可能性を確認するために、入力した外気温度が、所定の温度以下、例えば、０℃以下となった場合に、冷却装置で凍結の発生の恐れがあると検出する。
また、制御装置１１は冷却装置の冷媒温度、すなわち、水温異常の有無を確認するために、入力した入水温度と出水温度との差が、所定の温度以下となった場合に、冷却装置で水温異常が有ると検出する。
制御装置１１はさらに、冷却装置内を循環する水の流量または流速を検出するための信号を流速計または流量計２０から入力する。
制御装置１１はさらに、冷却装置の電源を通電または遮断させるための図示していない操作スイッチの動作状態、すなわち、オン状態およびオフ状態のいずれであるかを検出する。
【００２９】
制御装置１１はさらに、ポンプ１３の異常の有無を検出するための信号をポンプ１３から入力する。この信号は、例えば、ポンプ１３の回転モータの軸受けにおける偏心の度合いを示す信号でもよいし、ポンプ１３の温度上昇に応じて動作するサーマルヒューズ動作を示す信号でもよい。
制御装置１１はさらに、ファン１６の異常の有無を検出するための信号をファン１６から入力する。この信号は、例えば、ファン１６の回転モータの軸受けにおける偏心の度合いを示す信号でもよいし、ファン１６の温度上昇に応じて動作するサーマルリレー動作を示す信号でもよい。
制御装置１１はさらに、タンク１４内の液面位置である水位の変動発生を検出し、その発生の注意を促す信号をタンク１４から入力する。
制御装置１１はさらに、タンク１４内の水位の異常の有無を検出するための信号をタンク１４から入力する。この信号は、例えば、タンク１４内の水位が所定水位よりも低下したことを示す信号でもよい。
制御装置１１はさらに、タンク１４内の水位の下降の下降速度を検出し、その下降速度が所定の速度異常であることを警報する信号をタンク１４から入力する。
【００３０】
なお、上述した制御装置１１へ入力される信号の一部は、図１に示すように、信号バス２２を介している。また、制御装置１１は分岐回路２の出力電力を検出器３１から入力し、また、前置歪補償器５の出力電力を検出器３３から入力している。
【００３１】
以上説明した入力信号を基に、制御装置１１では、この送信機の各部の状態監視結果を表示するための表示信号を生成し、その表示信号を表示装置１２へ入力する。表示装置１２はその表示信号に従って、状態監視項目の内の主要な項目について表示するメイン画面、電力増幅ユニットＰＡ１〜ＰＡ１２ごとの異常状態をマトリクス表示すると共に、前置歪補償器５やアップコンバート回路４や冷却装置の異常状態を表示する異常表示詳細画面、および、冷却装置の各部の状態を表示する冷却装置状態画面が表示される。
【００３２】
以下、表示内容について、図を用いてより詳細に説明する。図２はメイン画面、異常表示詳細画面、冷却装置状態画面間の画面選択時の遷移の様子を表した図である。この図において、メイン画面１０１、異常表示詳細画面１０２、冷却装置状態画面１０３は、それぞれ画面の下部にあるタグ１１１、タグ１１２、タグ１１３を操作すること、例えば、図示していないマウス等の入力装置によって、画面上のポイントカーソルをそれらタグの上に表示するように移動させ、そのマウス等のクリックボタンを押し下げするとした操作を行うことで、図２の矢印に示すように画面が切り替わる。また、異常表示詳細画面１０２における各ＰＡ（電力増幅ユニット）のデータ表示ウインドウ・ボタン１１５〜１２６を操作することで、各ＰＡ毎のデータ表示ウインドウ１０４が表示される。以上の操作は、表示装置１２をタッチ・パネル操作形の表示装置とし、画面上のタグ表示やボタン表示に触れるようにすることで操作するとしてもよい。
【００３３】
図３はメイン画面１０１の表示の様子を示す図である。この図において、状態監視表示項目の中から抜粋された項目データが表示される。この図の例では、電力増幅器の出力電力と、電力増幅器の反射波電力と、電力増幅器から出力される混変調歪雑音（非線形歪雑音）レベルと、アップコンバート回路４の出力電力とがそれぞれグラフ表示２０１、２０３、２０５、２０７および値表示２０２、２０４、２０６、２０８として表示される。それら検出された値と共に、それらデータ毎の許容動作範囲を示すための表示２０９、２１０、２１１、２１２が表示される。これら範囲表示は、送信機の動作状態が、その項目について正常動作範囲であるか否かを表すものである。また、メイン画面表示では送信機全体の総合的な異常等（注意、警報、異常）の表示２２０を行う。この表示２２０は、送信機内の状態監視項目の内、一つでも異常等が発生した場合に表示する。また、冷却装置についての動作状況等（起動、正常、凍結起動）の表示２２１も行う。
【００３４】
次に、図４は、異常表示詳細画面１０２の表示の様子を示す図である。この図において、図３の異常等の表示２２０に関する詳細な内容が表示される。ここで、各電力増幅ユニットＰＡ１〜ＰＡ１２のデータ表示ウインドウボタン１１５〜１２６が並べて表示されてあり、その横に、電力増幅ユニットＰＡ１〜ＰＡ１２の出力異常、反射異常（反射波異常）、温度異常、電源異常の各状態監視項目の検出結果がマトリクス表示されている。さらに、前置歪補償器４に関する状態監視項目である、ＳＷ注意（電源操作スイッチ）、ＩＭ警報、ＩＭ異常、出力異常、ファン異常の状態検出結果が表示される。さらに、アップコンバート回路４に関する状態監視項目である、ＳＷ注意（電源操作スイッチ）、出力異常、ＡＰＣ異常（ＰＬＬ回路動作に関するもの）の状態検出結果が表示される。さらに、冷却装置に関する状態監視項目である、ＳＷ注意（電源操作スイッチ）、水位注意、水位警報、結露警報、凍結警報、水位異常、水温異常、ファン異常、流量異常、ポンプ異常の状態検出結果が表示される。
【００３５】
なお、各電力増幅ユニットＰＡ１〜ＰＡ１２のデータ表示ウインドウボタン１１５〜１２６のいずれか一つを上述のように操作することで、図５に示すように、対応する電力増幅ユニットのデータ表示ウインドウ１０４が表示される。このデータ表示ウインドウ１０４には、電力増幅ユニットの詳細なデータ（出力、反射、温度、電流、電圧、ＡＧＣ電圧等）が表示される。さらに、電力増幅ユニットの電力増幅用回路（ＤＰＡ、ＦＰＡ１〜ＦＰＡ６）の各出力電流も表示される。なお、これらの表示値が、予め与えられた仕様値より外れている場合には、それら表示値の色を変化させ、点滅を行うようにしている。
【００３６】
次に、図６は、冷却装置状態画面１０３の表示の様子を示す図である。この図において、冷却装置の構成を示す構成図を表示しており、タンク表示３１４、ラジエタ表示３１５、ファン表示３１６、ポンプ表示３１３、ＰＡ（電力増幅器）表示３１０が、それぞれ冷却装置における各部分、すなわち、タンク１４、ラジエタ１５、ファン１６、ポンプ１３、電力増幅器の位置関係を表すように配置され表示されている。そして、それら各部分の状態監視項目が異常となった場合は、対応する表示の近傍にその異常内容を示す表示が表示される。また、冷却装置全体の動作を示す表示３０１、３０２が画面１０３の右上に表示されると共に、冷却装置全体の状態監視項目について異常状態となった場合は、その異常内容を示す表示が、表示３０１、３０２の下部に表示される。その冷却装置全体の状態監視項目としては、例えば、結露警報、凍結警報等がある。
【００３７】
なお、図１の出力切換盤４０は、主制御装置４１の制御により、１系の送信信号を後段の図示していないアンテナへ出力するか、あるいは、２系の送信信号をそのアンテナへ出力するかを切り換える。なお、アンテナへ送信されない送信信号は、擬似空中線４０１に接続される。その擬似空中線４０１に接続される送信信号の出力電力が、検出器３７により検出される。また、主制御装置４１は、１系の制御装置１１および２系の制御装置１１と接続されている。そして、それら制御装置が有する上述の表示のための状態監視データを入力することができる。さらにそれら入力された状態監視データ信号を送信機の外部（図示せず）へ送信することができる。
【００３８】
【発明の効果】
以上説明したように、本発明によれば、通常はメイン画面のみで監視ができ、異常等が発生した場合には、異常表示詳細画面に切り替えることで、そその状態監視項目の内容をより容易に確認することができる。また、データ表示ウインドウを表示させ、詳細なデータをより容易に確認することができ、ユーザーの負担を軽減することができる。
【図面の簡単な説明】
【図１】  本発明の送信機の一実施例のブロック構成を示す図。
【図２】  メイン画面、異常表示詳細画面、冷却装置状態画面間の画面選択時の遷移の様子を表した図。
【図３】  メイン画面１０１の表示の様子を示す図。
【図４】  異常表示詳細画面１０２の表示の様子を示す図。
【図５】  データ表示ウインドウ１０４の表示の様子を示す図。
【図６】  冷却装置状態画面１０３の表示の様子を示す図。
【符号の説明】
１：ＯＦＤＭ変調器（ＯＦＤＭＭＯＤ）、  ２：分岐回路（方向性結合器）、  ３：遅延回路（ＤＬＹ）、  ４：アップコンバート回路（ＵＰＣＯＮＶ）、  ５：前置歪補償器、  ６：分配器（１２ＤＩＶ）、  ７：合成器（１２ＣＯＭＢ）、  ８：出力フィルタ（ＯＵＴＦＩＬ）、  ９：検波器、１０：制御信号生成部、  １１：制御装置、  １２：表示装置、  １３：ポンプ、  １４：タンク、  １５：ラジエタ、  １６：ファン、  １７，１８，１９：温度計、  ２０：流速計または流量計、  ２１：ルビジウム発振器、  ２２：信号バス、  ３１，３２，３３，３４，３５，３６，３７：検出器、  ４０：出力切換盤、  ４１：主制御装置、  ＰＡ１〜ＰＡ１２：電力増幅ユニット。
【図１】
0003821691.tif 000002
【図２】
0003821691.tif 000003
【図３】
0003821691.tif 000004
【図４】
0003821691.tif 000005
【図５】
0003821691.tif 000006
【図６】
0003821691.tif 000007